(57)【要約】【課題】  装置側の書込み領域のサイズよりも表示記録媒体の表示領域のサイズが大きい場合でも、表示記録媒体に書込みが行えるようにした画像書込装置および表示記録媒体を提供する。【解決手段】  画像書込装置１０は、表示記録媒体１００を搬送してその先端面を第１のストッパ７１Ａ，７１Ｂに当接させ、表示記録媒体１００の前方の一対の受電部１０７Ａ，１０７Ｂに電圧を印加するとともに、画像表示領域１１０の前半部分に光出射面９１ａから画像光を出射して画像を書き込んだ後、第１のストッパ７１Ａ，７１Ｂを倒して表示記録媒体１００を搬送し、その先端面を第２のストッパ７２Ａ，７２Ｂに当接させ、表示記録媒体１００の後方の一対の受電部１０７Ａ，１０７Ｂに電圧を印加するとともに、画像表示領域１１０の後半部分に光出射面９１ａから画像光を出射して画像を書き込む。【選択図】      図２
2005338192.tif 000002
【特許請求の範囲】
【請求項１】
無電源で画像を表示可能な表示記録媒体の一部に画像を書き込む書込み部を備えたことを特徴とする画像書込装置。
【請求項２】
前記表示記録媒体は、無電源で画像を表示可能な表示領域を有し、
前記書込み部は、前記表示領域よりも搬送方向に小さい領域であって、前記表示領域の一部に前記画像を書き込む書込み領域を有することを特徴とする請求項１記載の画像書込装置。
【請求項３】
前記表示記録媒体は、無電源で画像を表示可能な複数の表示領域を搬送方向に沿って有し、
前記書込み部は、前記表示領域に対応する大きさの領域であって、前記表示領域に前記画像を書き込む書込み領域を有することを特徴とする請求項１記載の画像書込装置。
【請求項４】
前記表示記録媒体は、一対の電極間に液晶層と光導電層を積層して配置した光書込み型表示記録媒体であり、
前記書込み部は、前記一対の電極間に電圧を印加するとともに、前記光導電層に画像光を照射して前記画像を書き込む露光部を備えたことを特徴とする請求項１記載の画像書込装置。
【請求項５】
無電源で画像を表示可能な表示記録媒体を搬送して複数の停止位置に停止させる搬送部と、
所定の位置に設けられ、前記停止位置に搬送された前記表示記録媒体の一部に前記画像を書き込む書込み部と、
前記表示記録媒体を前記複数の停止位置に順次停止させ、前記停止位置に停止する毎に前記表示記録媒体に前記画像を書き込むように前記搬送部および前記書込み部を制御する制御部とを備えたことを特徴とする画像書込装置。
【請求項６】
前記搬送部は、前記複数の停止位置に対応して搬送路から出没可能に設けられ、前記表示記録媒体の先端面に当接する複数のストッパと、前記複数のストッパを前記搬送路から出没させる駆動部とを備え、
前記制御部は、前記複数のストッパのうち前段のストッパによって停止している前記表示媒体の一部に前記画像が書き込まれた後、前記前段のストッパを前記搬送路から待避するように前記駆動部を制御することを特徴とする請求項５記載の画像書込装置。
【請求項７】
前記複数のストッパのうち最終段のストッパは、搬送面上に固定して設けられ、
前記制御部は、前記最終段のストッパによって停止している前記表示媒体の一部に前記画像が書き込まれた後、前記最終段のストッパとともに前記搬送面を前記搬送路から待避して前記表示記録媒体を落下させるように前記駆動部を制御することを特徴とする請求項７記載の画像書込装置。
【請求項８】
無電源で画像を表示可能な表示記録媒体を搬送して複数の停止位置に停止させる搬送部と、
所定の位置に設けられ、前記停止位置に搬送された前記表示記録媒体の全体あるいは一部に前記画像を書き込む書込み部と、
前記表示記録媒体のサイズを検出する検出部と、
前記検出部によって検出された前記表示記録媒体のサイズに応じて前記表示記録媒体の停止位置を制御する制御部とを備えたことを特徴とする画像書込装置。
【請求項９】
無電源で画像を表示可能な表示領域の一部に画像を書き込む際に電圧が印加される一対の受電部を複数組を備えたことを特徴とする表示記録媒体。
【請求項１０】
前記表示領域は、無電源で画像を表示可能な複数の表示領域を有し、
前記複数組の一対の受電部は、前記複数の表示領域に対応して設けられことを特徴とする請求項９記載の表示記録媒体。
【請求項１１】
前記表示領域は、一対の電極と、前記一対の電極間に積層して配置された液晶層および光導電層を備え、
前記一対の受電部は、前記一対の電極から導出されたことを特徴とする請求項９記載の表示記録媒体。
【発明の詳細な説明】
【技術分野】
【０００１】
本発明は、繰り返し書換えが可能で、無電源で画像を表示可能な表示記録媒体に画像を書き込む画像書込装置および表示記録媒体に関し、特に、装置側の書込み領域のサイズよりも表示記録媒体の表示領域のサイズが大きい場合でも、表示記録媒体に書込みが行えるようにした画像書込装置および表示記録媒体に関する。
【背景技術】
【０００２】
近年、表示記録媒体として、紙媒体や電子ディスプレイデバイスの他に、電子ディスプレイの長所と紙の長所を併せ持った電子ぺーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのためのエネルギーを与えるだけで良く、表示を維持するためのエネルギーの印加は不要である。従って、情報の書込み後に画像書込装置から表示記録媒体のみを取り出して、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む装置は、格納部から搬送されてきた表示記録媒体を液晶光出力デバイスの表面に密着させ、この状態のままバックライトにより背面から照明されている液晶光出力デバイスに画像を表示すると共にその画像光を表示記録媒体の光導電層に照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報（［００４４］〜［００４７］、図４）
【発明の開示】
【発明が解決しようとする課題】
【０００６】
しかし、従来の画像書込装置によると、表示記録媒体の情報表示量を増加させようとすれば、その媒体サイズに合わせて光出射面を大型化する必要があり、このために、装置全体が大型化すると共に大重量になり、設置スペースにも制約が生じる。また、コストアップにもなる。例えば、表示記録媒体の標準サイズをＡ４サイズとした場合、工場や設計現場等での用途では、Ａ３サイズによる表示の要求がある。Ａ４サイズに比べてＡ３サイズを使用する頻度は低いにもかかわらず、Ａ３サイズを想定した構造の画像書込装置にしておく必要がある。
【０００７】
従って、本発明の目的は、装置側の書込み領域のサイズよりも表示記録媒体の表示領域のサイズが大きい場合でも、表示記録媒体に書込みが行えるようにした画像書込装置および表示記録媒体を提供することにある。
【課題を解決するための手段】
【０００８】
本発明は、上記目的を達成するため、無電源で画像を表示可能な表示記録媒体の一部に画像を書き込む書込み部を備えたことを特徴とする画像書込装置を提供する。
【発明の効果】
【０００９】
本発明の画像書込装置および表示記録媒体によれば、表示記録媒体に複数回に分けて画像を書き込むことにより、装置側の書込み領域のサイズよりも表示記録媒体の表示領域のサイズが大きい場合でも、表示記録媒体への書込みが可能になる。
【発明を実施するための最良の形態】
【００１０】
［第１の実施の形態］
（画像書込装置の全体構成）
図１は、本発明の第１の実施の形態に係る画像書込装置を示す。この画像書込装置１０は、下部筐体１１と上部筐体１２とを備えて構成され、例えば、Ａ４サイズ相当の書込み領域としての光出射面を有し、前方の挿入口１３ａから下部筐体１１と上部筐体１２の間の空間内に挿入されると共に前記光出射面に位置決めされた表示記録媒体１００に画像を書き込み、書き込み終了後に表示記録媒体１００を後方の排出口から排出するように構成されている。
【００１１】
表示記録媒体１００は、書換え可能であり、薄型矩形状を成すと共に、画像書込装置１０の光出射面のサイズより大きいサイズ、例えば、Ａ３サイズを有し、裏面１００ｂ側からの書込みパターン光１５０の照射とパルス電圧の印加によって書き込まれた画像を裏面１００ｂ側に表示する画像表示領域１１０と、パルス電圧が印加される一対の媒体電極としての受電部１０７Ａ，１０７Ｂとを備える。
【００１２】
（画像書込装置の各部の構成）
下部筐体１１は、その上面に、表示記録媒体１００の短辺よりも若干広い間隔で配置され、挿入および搬送時に表示記録媒体１００を案内するガイド１４Ａ，１４Ｂと、表示記録媒体１００に書き込む画像の濃度調整用のツマミ１５ａ、表示記録媒体１００を強制排出するためのボタン１５ｂ、同一画像を再度書き込むためのボタン１５ｃ等を有する操作部１５と、表示記録媒体１００のセット異常等のメッセージをＬＣＤ（液晶ディスプレイ）等により表示するメッセージ表示部１６と、表示記録媒体１００の後半（約１／２）に書込みを行うために表示記録媒体１００を停止させる第２のストッパ７２Ａ，７２Ｂと、この第２のストッパ７２Ａ，７２Ｂを出入可能にする開口１１ｂを備える。なお、操作部１５のうち、１５ａは、濃度調整ダイヤル、１５ｂは、シート排出ボタン、１５ｃは、ページ切り替えボタンである。
【００１３】
上部筐体１２は、表示記録媒体１００のジャム等の異常時あるいはメンテナンス時のために、ヒンジにより上方に開閉可能に設けられ、上部筐体１２を上方に開けたとき、メッセージ表示部１６の蓋を開けることによって、その表示内容が見えるように構成されている。
【００１４】
図２は、下部筐体１１の平面図を示す。また、図３は、図２の各部における断面図を示す。同図中、（ａ）は図２のＡ−Ａ線断面図、（ｂ）は図２のＢ−Ｂ線断面図、（ｃ）は図２のＣ−Ｃ線断面図である。なお、図２中、上部筐体１２を想像線で示す。
【００１５】
下部筐体１１は、挿入口１３ａからセット位置に挿入された表示記録媒体１００を搬送する媒体搬送部７と、下部筐体１１と上部筐体１２との間の空間１３ｂ内に搬送され、書込み位置に位置する表示記録媒体１００を書込み部９に押し付ける媒体押付け部８と、媒体押付け部８よって押し付けられた表示記録媒体１００に画像を書き込む書込み部９とを備える。また、下部筐体１１の上面には、給電端子８３Ａ，８３Ｂを逃げるための逃げ穴１１ｃが形成されている。これにより、表示記録媒体１００が書込み位置に存在しないとき、誤動作により押圧板８０が下降しても給電端子８３Ａ，８３Ｂが破損するのを防ぐことができる。
【００１６】
媒体搬送部７は、図２、図３の（ａ），（ｂ）に示すように、下部筐体１１の左右一対のガイド１４Ａ，１４Ｂの近傍に形成された開口１１ａから僅かに上方に突出するように配置され、挿入口１３ａからセット位置に挿入された表示記録媒体１００を搬送方向Ｘに搬送する複数の搬送ローラ７０Ａ〜７０Ｆと、これらの搬送ローラ７０Ａ〜７０Ｆを回転駆動する図示しないモータと、下部筐体１１に形成された開口１１ｂから出没可能に設けられた第１のストッパ７１Ａ，７１Ｂと、下部筐体１１の第１のストッパ７１Ａ，７１Ｂより後方に設けられた開口１１ｂから出没可能に設けられた上記第２のストッパ７２Ａ，７２Ｂと、表示記録媒体１００を書込み位置に停止させるとき、ストッパ７１Ａ，７１Ｂ，７２Ａ，７２Ｂを回動させて開口１１ｂから突出させる図示しない駆動モータとを備える。ここで「セット位置」とは、表示記録媒体１００の光反射率が検出される位置をいうものとする。
【００１７】
媒体押付け部８は、図３の（ｂ），（ｃ）に示すように、上部筐体１２の中央に形成された開口１２ａから出没可能に設けられ、表示記録媒体１００を下方に押圧する押圧板８０と、押圧板８０を下方へ押し下げて表示記録媒体ｌ００を露光部としてのＬＣＤパネル９１の光出射面（書込み領域）９１ａに密着させる電磁ソレノイド８１と、押圧板８０に端子取付部８２によって取り付けられた一対の給電端子８３Ａ，８３Ｂとを備える。
【００１８】
書込み部９は、図２、図３の（ｂ）に示すように、表示記録媒体１００の画像表示領域（または、画像書込み領域）１０１と同等の大きさを有し、画像の書込みパターン光を画像表示領域１１０に照射するＬＣＤパネル９１と、このＬＣＤパネル９１の背面からバックライト光を照射するバックライト９０とを備える。
【００１９】
バックライト９０には、ＬＥＤ（発光ダイオード）、冷陰極管、ＥＬ（エレクトロルミネッセンス）等を用いることができる。
【００２０】
下部筐体１１には、図２に示すように、表示記録媒体１００の前半および後半が書込み位置に停止したことを検出する媒体停止センサ１７Ａ，１７Ｂと、表示記録媒体１００の後端を検出することにより表示記録媒体１００が下部筐体１１上から排出されたことを検知する排出終了センサ１７Ｃと、表示記録媒体１００が書込み部９へ給紙されたことを検出する給紙センサ１８とが設けられている。
【００２１】
媒体停止センサ１７Ａ，１７Ｂ、排出終了センサ１７Ｃ、および給紙センサ１８は、それぞれ表示記録媒体１００に光を照射する発光素子と、表示記録媒体１００で反射した光を受光する受光素子とを備える。
【００２２】
（表示記録媒体の層構成）
図４は、図２の表示記録媒体１００のＤ−Ｄ線の断面を示す。同図中、（ａ）は書込み方向と目視方向が同一である層構成の表示記録媒体を示し、（ｂ）は書込み方向と目視方向が反対方向である層構成の表示記録媒体を示す。
【００２３】
図４の（ａ）の構成について説明する。表示記録媒体１００は薄型矩形状を有し、対向配置されたＰＥＴ（ポリエチレンテレフタレート）フィルムからなる一対の基板１０１Ａ，１０１Ｂと、これらのそれぞれの内側に設けられたＩＴＯ（インジウム錫酸化物）からなる一対の透明電極１０２Ａ，１０２Ｂと、透明電極１０２Ｂの内側に設けられ、印加電圧に応じて反射率（透過率）が変化するメモリ性を有する液晶、例えば、コレステリック液晶からなる液晶層１０３と、透明電極１０２Ａの内側に設けられた光吸収層１０４と、光吸収層１０４の内側に設けられ、書込みパターン光１５０の照射によって抵抗値が小さくなる光導電層１０５と、透明電極１０２Ｂに一端が接続された延在部１０６と、延在部１０６および透明電極１０２Ａに接続されるとともに同一平面上に形成された受電部１０７Ａ，１０７Ｂと、受電部１０７Ａ，１０７Ｂを露出させる開口１０８Ａ，１０８Ｂと、液晶層１０３と光導電層１０５との間に設けられた隔離層１０９とを備えて構成されている。
【００２４】
光導電層１０５は、２つの電荷発生層１０５ａ，１０５ｃと、これらの間に設けられた電荷輸送層１０５ｂとを備えて構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、表示記録媒体の高寿命化を実現することができる。
【００２５】
（表示記録媒体への書込み動作）
書込みパターン光１５０は、基板１０１Ｂ、透明電極１０２Ｂ、液晶層１０３および隔離層１０９を通して光導電層１０５に照射される。光導電層１０５は、書込みパターン光１５０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００２６】
従って、表示記録媒体１００を裏面１００ｂから見た場合、書込みパターン光１５０が照射された領域は、照明光１５１を受けて液晶層１０３で反射し、表示光１５２として白く見える。逆に、書込みパターン光１５０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、書込みパターン光１５０が照射されていない領域は、黒く見える。
【００２７】
（表示記録媒体の他の層構成）
次に、図４の（ｂ）の表示記録媒体１００の構成について説明する。この表示記録媒体１００は、図４の（ａ）の表示記録媒体１００において、液晶層１０３と光導電層１０５の配置を入れ替えるとともに光吸収層１０４を液晶層１０３と光導電層１０５との間に設け、更に隔離層１０９を除去した構成としている。その他の構成は、図４の（ａ）の表示記録媒体１００と同じである。
【００２８】
図４の（ｂ）の表示記録媒体１００は、図４の（ａ）の表示記録媒体１００と同様の原理で書込みが行われる。ただし、書込みは、書込みパターン光１５０が基板１０１Ｂおよび透明電極１０２Ｂを通して光導電層１０５に照射されることにより行われ、そして、見る方向は、書込みパターン光１５０の照射方向とは逆の表面１００ａ側（Ｅの方向）になる。
【００２９】
図４の（ｂ）の表示記録媒体１００は、書込みパターン光１５０の照射方向と、書込み後の画像を見る方向とが逆であるため、ユーザは、書込み部９から排出された表示記録媒体１００を裏返しにすることなく、表示記録媒体１００の上面をＥ方向から見れば、 直ちに画像内容を確認することができる。
【００３０】
（制御部の構成）
図５は、画像書込装置１０の制御系の構成を示す。この制御系は、画像書込装置１０の全体を制御する制御部２０を主体に構成され、制御部２０には、例えば、ＣＰＵが用いられる。制御部２０には、媒体搬送部７、媒体押付け部８、メッセージ表示部１６、媒体停止センサ１７Ａ，１７Ｂ、排出終了センサ１７Ｃ、給紙センサ１８のほか、ＬＣＤパネル駆動部２１、バックライト点灯部２２、パルス電源部２３、画像データ記憶部２４、および通信インタフェース（Ｉ／Ｆ）２５が接続されている。
【００３１】
ＬＣＤパネル駆動部２１は、ＬＣＤパネル９１に画像データに応じた駆動信号を供給する。バックライト点灯部２２は、バックライト９０を駆動する。パルス電源部２３は、書込み位置に搬送された表示記録媒体１００に、一対の給電端子８３Ａ，８３Ｂからパルス電圧を印加する。画像データ記憶部２４は、表示記録媒体１００に書き込むべき画像データを記憶する。通信インタフェース２５は、ＬＡＮ（Ｌｏｃａｌ  Ａｒｅａ  Ｎｅｔｗｏｒｋ）等のネットワークに接続されており、ネットワークから表示記録媒体１００に書き込むべき画像データを取り込み、或いは外部へ画像データを送信するときに用いられる。
【００３２】
（画像書込装置の動作）
図６は、第１の実施の形態に係る画像書込装置１０の動作工程を示す。図１〜図６を参照して画像書込装置１０の動作を説明する。ユーザは、指定された方向および面を合わせて、図１および図３に示す挿入口１３ａからガイド１４ＡＰ１４Ｂに沿って表示記録媒体１００を下部筐体１１上に挿入する。この挿入を給紙センサ１８が検出すると、制御部２０は、第１のストッパ７１Ａ，７１Ｂを駆動し、図３の（ｂ）の点線で示す水平位置から実線で示す垂直位置に立ち上げる。
【００３３】
同時に、制御部２０は、媒体搬送部７の図示しないモータを駆動して表示記録媒体１００をＸ方向へ搬送する。表示記録媒体１００がセット位置から搬送され、その先端が第１のストッパ７１Ａ，７１Ｂに当接すると、このタイミングを媒体停止センサ１７Ａが検出する。この検出に基づいて、制御部２０は、媒体搬送部７のモータの駆動を停止し、表示記録媒体１００の搬送を停止させる。この結果、図３の（ａ）および図６の（ａ）のように、表示記録媒体１００の前半が書込み位置に介在する。
【００３４】
ついで、制御部２０は、媒体押付け部８の電磁ソレノイド８１を駆動して押圧板８０を押し下げ、表示記録媒体１００の裏面１００ｂをＬＣＤパネル９１の光出射面９１ａに密着させる。この押圧板８０によって表示記録媒体１００が押圧されると、一対の給電端子８３Ａ，８３Ｂが表示記録媒体１００の前寄りの受電部１０７Ａ，１０７Ｂに接触し、パルス電源部２３から表示記録媒体１００の透明電極１０２Ａ，１０２Ｂにパルス電圧が印加される。
【００３５】
表示記録媒体１００がＬＣＤパネル９１に密着し、透明電極１０２Ａ，１０２Ｂにパルス電圧が印加されている状態において、制御部２０は、ＬＣＤパネル駆動部２１、バックライト点灯部２２およびパルス電源部２３を駆動して表示記録媒体１００への書込み動作を行う。
【００３６】
すなわち、制御部２０は、バックライト点灯部２２によりバックライト９０からバックライト光をＬＣＤパネル９１に照射させ、パルス電源部２３から給電端子８３Ａ，８３Ｂを介して表示記録媒体１００の透明電極１０２Ａ，１０２Ｂ間にパルス電圧を印加させるとともに、ＬＣＤパネル駆動部２１から画像データ記憶部２４に記憶されている画像データに基づく駆動信号をＬＣＤパネル９１に出力させる。ＬＣＤパネル９１は、駆動信号に基づいて書込みパターン光１５０を表示記録媒体１００の裏面１００ｂから照射する。
【００３７】
書込みパターン光１５０が照射されることにより、表示記録媒体１００は書込みパターン光１５０の画像に応じた書込みが、前記した書込み原理によって行われる。画像の書込みが終了すると、制御部２０は、媒体押付け部８を制御して押圧板８０を元の位置に退避させ、第１のストッパ７１Ａ，７１Ｂを垂直位置から水平位置に駆動して倒すと同時に第２のストッパ７２Ａ，７２Ｂを図３の（ｂ）の点線で示す水平位置から実線で示す垂直位置に立ち上げ、更に、媒体搬送部７のモータを駆動して表示記録媒体１００を搬送する。
【００３８】
表示記録媒体１００の先端が第２のストッパ７２Ａ，７２Ｂの位置に到達すると、媒体停止センサ１７Ｂが表示記録媒体１００の到達を検出し、これに応じて制御部２０は媒体搬送部７のモータの回転を停止させる。この状態が図６の（ｂ）であり、表示記録媒体１００の後半が書込み位置にセットされる。この状態で、制御部２０は、体押付け部８を駆動し、表示記録媒体１００をＬＣＤパネル９１の光出射面９１ａに密着させる。これにより、表示記録媒体１００の後寄りの受電部１０７Ａ，１０７Ｂに給電端子８３Ａ，８３Ｂからパルス電圧が印加される。ついで、書込み部９から書込みパターン光１５０を照射することで、表示記録媒体１００の後半に、上記したようにして画像の書込みが行われる。この２回目の書込みにより、表示記録媒体１００の１枚分の書込みが終了する。
【００３９】
表示記録媒体１００の後半への画像の書込みが終了すると、制御部２０は第２のストッパ７２Ａ，７２Ｂを垂直位置から水平位置に倒すように駆動し、ついで媒体搬送部７のモータを駆動する。これにより、表示記録媒体１００は図６の（ｃ）のように搬送され、表示記録媒体１００は画像書込装置１０の外へ排出される。
【００４０】
なお、表示記録媒体１００が標準のＡ４サイズであった場合、給紙センサ１８を通過してから相当の時間を経てから媒体停止センサ１７Ａが検出信号を出力することから、制御部２０はＡ４サイズを判定することができ、２回目の書込みのための処理は行わない。また、ユーザが手動により表示記録媒体１００のサイズを指定するようにしてもよい。
【００４１】
（第１の実施の形態の効果）
この第１実施の形態によれば、以下の効果が得られる。
（イ）最初に表示記録媒体１００の前半が書込み部９の書込み位置へ搬送され、前半への書込み終了後、表示記録媒体１００の後半が書込み位置に搬送されて後半への書込みが行われるため、画像書込装置１０の光出射面のサイズよりも表示記録媒体１００の書込み領域のサイズが大きい場合でも、表示記録媒体１００への書込みを自動的に行うことができる。
（ロ）２回に分けた書込み処理は自動で行われるため、書込みに待ち時間を生じさせることがなく、書込みを高速に処理することが可能になる。
（ハ）筐体は、光出射面のサイズ分だけ延長すればよいので、画像書込装置１０は大型化せず、大重量になるのを防止することができる。
【００４２】
［第２の実施の形態］
（第２の実施の形態の構成）
図７は、本発明の第２の実施の形態に係る画像書込装置を示す。同図中、（ａ）は図３の（ｂ）の断面位置に相当し、（ｂ）は図７の（ａ）のＥ−Ｅ線断面図である。本実施の形態は、第２のストッパ７２Ａ，７２Ｂに代えて、ストッパ部５０を設けた構成である。なお、下部筐体１１の先端は開放され、表示記録媒体１００が筐体内部を通って外部へ排出できるように構成されている。その他の構成は、第１の実施の形態と同様である。また、制御系の構成も第１の実施の形態と同様である。
【００４３】
ストッパ部５０は、一対のベース５１Ａ，５１Ｂと、ベース５１Ａ，５１Ｂのそれぞれの端部に立設された一対のストッパ５２Ａ，５２Ｂとを備える。ベース５１Ａ，５１Ｂは支点５３を有しており、この支点５３を回転中心にして、実線の水平位置または点線による下方位置のいずれかを選択できるように、図示しないモータまたは電磁ソレノイドによって回転駆動される。
【００４４】
（画像書込装置の動作）
図８は、第２の実施の形態に係る画像書込装置１０の動作工程を示す。図７、図８を参照して画像書込装置１０の動作を説明する。指定された方向および面を合わせて、挿入口１３ａから表示記録媒体１００をセット位置に挿入すると、制御部２０は、給紙センサ１８により表示記録媒体１００が挿入されたことを検出し、第１のストッパ７１Ａ，７１Ｂを水平位置から垂直位置に立ち上げると同時に、媒体搬送部７を動作させ、表示記録媒体１００をガイド１４Ａ，１４Ｂに沿って搬送し、書込み位置に達すると、媒体搬送部７の駆動が止められ、表示記録媒体１００の搬送が停止する。この結果、図８の（ａ）のように、表示記録媒体１００の前半が書込み位置に介在する。
【００４５】
ついで、制御部２０は、表示記録媒体１００の裏面１００ｂをＬＣＤパネル９１の光出射面９１ａに密着させてパルス電源部２３からのパルス電圧を表示記録媒体１００の前半の受電部１０７Ａ，１０７Ｂに印加できる状態にし、書込み部９による書込みを実施する。表示記録媒体１００の前半への書込みが終了すると、制御部２０は、第１のストッパ７１Ａ，７１Ｂを倒すように制御し、更に、媒体搬送部７を動作させて表示記録媒体１００の搬送を開始する。
【００４６】
表示記録媒体１００の先端がストッパ５２Ａ，５２Ｂに当接するタイミングを媒体停止センサ１７Ｂが検出すると、制御部２０は媒体搬送部７のモータを停止させる。これにより、表示記録媒体１００は、先端がストッパ５２Ａ，５２Ｂに当接した状態で停止する。この状態が図７の（ａ），（ｂ）、および図８の（ｂ）である。
【００４７】
このとき、表示記録媒体１００の後半は、書込み部９の書込み位置にある。そこで、表示記録媒体１００の後寄りの受電部１０７Ａ，１０７Ｂにパルス電圧を印加すると共に書込み部９を動作させ、画像データに基づいて表示記録媒体１００の後半に書込みを行う。この書込みが終了すると、制御部２０は、ストッパ部５０のベース５１Ａ，５１Ｂを下側へ回転させるとともに、媒体搬送部７のモータを駆動し、搬送ローラ７０Ａ〜７０Ｆを回転させる。ベース５１Ａ，５１Ｂが下側へ回転することにより、ストッパ部５０は図７の（ｂ）に示す実線位置から点線位置に変化する。これにより、図８の（ｃ）のように、ストッパ部５０のベース５１Ａ，５１Ｂ上に載っていた表示記録媒体１００は、下部筐体１１内に自然落下する。表示記録媒体１００の後部は搬送ローラ７０Ａ〜７０Ｆで搬送されているため、最終的に、表示記録媒体１００の全体が下部筐体１１内に収納され、或いは下部筐体１１の外に排出される。
【００４８】
（第２の実施の形態の効果）
この第２の実施の形態によれば、第１の実施の形態と同様の効果が得られるほか、下部筐体１１をストッカとして利用することができるという効果を有する。また、表示記録媒体１００が搬送される距離を短くすることができ、装置を小型にすることができる。
【００４９】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００５０】
また、ストッパは、２段階に設けたが、３段階以上にすることも可能である。これにより、例えば、Ａ４サイズ×Ｎの長さの表示記録媒体１００にも対応可能になる。また、表示記録媒体は、搬送方向に沿って複数の画像表示領域を有するものでもよく、ロール状の形態であってもよい。
【００５１】
また、ＬＣＤパネル９１に代えて、ＥＬ（エレクトロルミネッセンス）ディスプレイ、ＰＤＰ（プラズマディスプレイ）、ＶＦＤ（蛍光表示管ディスプレイ）、ＦＥＤ（電界放出ディスプレイ）等のフラットディスプレイや、ＣＲＴディスプレイを用いてもよい。さらに、プロジェクタから画像光を投影してもよく、フラットディスプレイ、ＣＲＴディスプレイ等の表示装置と結像光学系とを組み合わせた投影装置によって画像を書き込んでもよい。
【００５２】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示記録媒体を用いてもよい。
【００５３】
また、表示記録媒体の搬送は、搬送ローラに代えて搬送ベルト等を用いてもよく、一対の搬送ローラ，搬送ベルト等を用いて挟持搬送してもよい。さらに、搬送方向は、上記の水平方向の他に、斜め方向、鉛直方向等の他の方向でもよい。重力成分が作用する方向に搬送することにより、搬送モータの駆動力を小さくすることができ、搬送ローラ等の搬送手段を省略することも可能になる。
【図面の簡単な説明】
【００５４】
【図１】本発明の第１の実施の形態に係る画像書込装置を示す外観図である。
【図２】図１の下部筐体の平面図である。
【図３】図２の各部の断面を示し、（ａ）は図２のＡ−Ａ線断面図、（ｂ）は図２のＢ−Ｂ線断面図、（ｃ）は図２のＣ−Ｃ線断面図である。
【図４】図２の表示記録媒体のＤ−Ｄ線の断面を示し、（ａ）は書込み方向と目視方向が同一である層構成の表示記録媒体の断面図、（ｂ）は書込み方向と目視方向が反対方向である層構成の表示記録媒体の断面図である。
【図５】本発明の第１実施の形態に係る画像書込装置の制御系の構成を示すブロック図である。
【図６】（ａ）〜（ｃ）は第１の実施の形態に係る画像書込装置の動作工程を示す説明図である。
【図７】本発明の第２の実施の形態に係る画像書込装置を示し、（ａ）は図３の（ｂ）の断面位置に相当する断面図、（ｂ）は（ａ）のＥ−Ｅ線断面図である。
【図８】（ａ）〜（ｃ）は第２の実施の形態に係る画像書込装置の動作工程を示す説明図である。
【符号の説明】
【００５５】
７  媒体搬送部
８  媒体押付け部
９  書込み部
１０  画像書込装置
１１  下部筐体
１１ａ，１１ｂ  開口
１１ｃ  穴
１２  上部筐体
１２ａ  開口
１３ａ  挿入口
１３ｂ  空間
１４Ａ，１４Ｂ  ガイド
１５  操作部
１６  メッセージ表示部
１７Ａ，１７Ｂ  媒体停止センサ
１７Ｃ  排出終了センサ
１８  給紙センサ
２０  制御部
２１  パネル駆動部
２２  バックライト点灯部
２３  パルス電源部
２４  画像データ記憶部
２５  通信インタフェース
５０  ストッパ部
５１Ａ，５１Ｂ  ベース
５２Ａ，５２Ｂ  ストッパ
５３  支点
７０Ａ〜７０Ｆ  搬送ローラ
７１Ａ，７１Ｂ  第１のストッパ
７２Ａ，７２Ｂ  第２のストッパ
８０  押圧板
８１  電磁ソレノイド
８２  端子取付部
８３Ａ，８３Ｂ  給電端子
９０  バックライト
９１  ＬＣＤパネル
９１ａ  光出射面
１００  表示記録媒体
１００ａ  表面
１００ｂ  裏面
１０１  画像表示領域
１０１Ａ，１０１Ｂ  基板
１０２Ａ，１０２Ｂ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電部
１０８Ａ，１０８Ｂ  開口
１０９  隔離層
１１０  画像表示領域
１５０  書込みパターン光
１５１  照明光
１５２  表示光
【図１】
2005338192.tif 000003
【図２】
2005338192.tif 000004
【図３】
2005338192.tif 000005
【図４】
2005338192.tif 000006
【図５】
2005338192.tif 000007
【図６】
2005338192.tif 000008
【図７】
2005338192.tif 000009
【図８】
2005338192.tif 000010